(57)【特許請求の範囲】
【請求項１】
複数の単品部品が組立てられて製作される各組立部品が複数、並べて表示される第１Ｗｅｂ頁のデータを、ネットを介してネット端末に送信する第１Ｗｅｂ頁送信部と、
ネットユーザが、前記ネット端末に表示された前記第１Ｗｅｂ頁において選択した組立部品である選択組立部品を示す情報を、前記ネットを介して受信する受信部と、
前記選択組立部品の３Ｄ表示図と、前記選択組立部品を構成する各単品部品についての名称及び前記３Ｄ表示図上の配置部位と、前記選択組立部品についての設計留意点と、ＣＡＤファイル要求用操作部とが表示される第２Ｗｅｂ頁のデータを、前記ネットを介して前記ネット端末に送信する第２Ｗｅｂ頁送信部と、
前記ネットユーザが、前記ネット端末において前記ＣＡＤファイル要求用操作部を介して行ったＣＡＤファイル要求を受付ける要求受付部と、
前記要求受付部がＣＡＤファイル要求を受付けたときは、前記ネット端末のＣＡＤで前記選択組立部品の仕様を、単品部品の選択によりデフォルト仕様から変更できるように、デフォルト仕様の組立部品と、前記デフォルト仕様の組立部品を構成する単品部品と、前記デフォルト仕様とは異なる仕様の組立部品を構成する単品部品とのデータを含む前記選択組立部品のＣＡＤファイルを、前記ネットを介して前記ネット端末に送信するＣＡＤファイル送信部とを備えることを特徴とする設計情報提供装置。
【請求項２】
請求項１記載の設計情報提供装置において、
前記組立部品を構成する単品部品には、前記ネットユーザが内製する内製単品部品と、前記ＣＡＤファイルの提供者が販売する販売単品部品とがあり、
前記ＣＡＤファイルには、第１パラメータの値で識別される第１種別の複数の内製単品部品のデータと、第２パラメータの値で識別される第２種別の複数の販売単品部品のデータと、前記第１パラメータの値と前記第２パラメータの値との組合わせであるパラメータ組合わせのデータとが含まれ、
前記パラメータ組合わせの１つが、前記デフォルト仕様の組立部品に対応するように設定され、
前記パラメータ組合わせの残りが、前記デフォルト仕様以外の仕様の組立部品に対応するように設定されていることを特徴とする設計情報提供装置。
【請求項３】
請求項２記載の設計情報提供装置において、
前記組立部品は、前記パラメータ組合わせの設定変更を相互の干渉なく行うことができる複数の組立部品部分に分割され、
前記パラメータ組合わせは、組立部品部分ごとに設定されることを特徴とする設計情報提供装置。
【請求項４】
請求項３記載の設計情報提供装置において、
前記ＣＡＤファイルには、各パラメータ値を有する各販売単品部品の部品図のデータと、各部品図の図名に、各パラメータ値を有する各販売単品部品に対して前記ＣＡＤファイルの提供者が付けた型番が含まれるようにした図名のデータとが含まれていることを特徴とする設計情報提供装置。
【発明の詳細な説明】
【技術分野】
【０００１】
本発明は、組立部品についての情報を、ネットを介して提供する設計情報提供装置に関する。
【背景技術】
【０００２】
工場等の設備の設計業務には、複数の単品部品が組立てられて製作される組立部品についての設計が含まれる。組立部品の設計では、組立部品の種類ごとに、ノウハウ等の設計上、役立つ設計留意点が存在し、各設計者は、設計留意点を活用して、適切な組立部品を設計している。
【０００３】
設計者の引退や異動に備えて、設計者間の設計留意点の共有及び新規設計者への設計留意点の継承は必須である。設計留意点についての従来の共有や継承は、口頭やメモによって行われており、組織的及び系統的なものとはなっていない。
【０００４】
一方、製造業界の現状では、単品部品の販売業者と、単品部品を組立てた組立部品を製作する製作業者とが別々に存在し、組立部品の製作業者は、単品部品を組立てた組立部品を設計するとともに、販売業者から単品部品を購入して、組立部品を製作している。単品部品は、様々な種類の組立部品において共通に使用されるので、単品部品販売業者は、自社の単品部品の販売先としての組立部品製作業者を多数、抱えるとともに、販売先の要望を収集して、単品部品が組込まれている組立部品の設計留意点を蓄積することができる。
【０００５】
また、組立部品の製作業者は、組立部品をＣＡＤで設計する際、単品部品のデータが必要になる。さらに、設計終了した組立部品について、その単品部品の発注を効率化したい要望もある。
【０００６】
特許文献１は、組立構成品の部品を、組立構成品の仕様を変更するのに伴い仕様変更が必要となる主変更部品と、主変更部品の変更に伴い変更が必要になる従変更部品とに分ける仕様変更システムを開示する。該システムでは、主変更部品の寸法変化量に対する従変更部品の寸法変化量の率としての寸法変動係数を定義する。そして、組立構成品の仕様変更に伴い主変更部品の寸法が変化した場合は、寸法変動係数を用いて従変更部品の寸法が自動的に変更される。
【０００７】
特許文献２は、組立部品についてパラメータ値としての形状及び属性情報が入力されると、それに基づいて部品展開手続が実行されて、該組立部品の単品部品の形状等が求められるとともに、部品図が作成されるシステムを開示する。
【０００８】
特許文献３は、複数の部品から製作される組立家具等の商品購入者が、インターネットを利用して、自分の使用環境に合致した商品を商品販売者に注文することができる注文システムを開示する。該システムによれば、購入者は、インターネットを介して販売者のホームページにアクセスし、ホームページに用意されている所定のシミュレーションを呼び出す。そして、該シミュレーションの実行に伴い表示されるシミュレーション条件設定画面としての設計画面上で、部品を選択しつつ、部品を組み付けていき、組立家具を設計するようになっている。組立家具の設計図が完成すると、該組立家具に用いられている部品についての種別名、型番、個数及び値段を並べた部品表が画面に表示され、該部品表に基づいて組立家具の発注が行われる。
【先行技術文献】
【特許文献】
【０００９】
【特許文献１】特開平０８-１６１３８６号公報
【特許文献２】特開平１０-１１４８８号公報
【特許文献３】特開２００１-２２９３０６号公報
【発明の概要】
【発明が解決しようとする課題】
【００１０】
組立部品の製作業者は、例えば自社用設備等、他社との差別化を特に必要としない組立部品については、できるだけ、設計を合理化したい希望がある。一方、組立部品の単品部品の販売業者は、自社の単品部品の販売を伸ばしたい希望がある。
【００１１】
本発明の目的は、所定の単品部品が組み立てられて製作される組立部品の製作業者が組立部品を設計する際に、役立つ知識を教示しつつ、設計作業を合理化することができる設計情報提供装置を提供することである。
【課題を解決するための手段】
【００１２】
本発明の設計情報提供装置は、複数の単品部品が組立てられて製作される各組立部品が複数、並べて表示される第１Ｗｅｂ頁のデータを、ネットを介してネット端末に送信する第１Ｗｅｂ頁送信部と、ネットユーザが、前記ネット端末に表示された前記第１Ｗｅｂ頁において選択した組立部品である選択組立部品を示す情報を、前記ネットを介して受信する受信部と、前記選択組立部品の３Ｄ表示図と、前記選択組立部品を構成する各単品部品についての名称及び前記３Ｄ表示図上の配置部位と、前記選択組立部品についての設計留意点と、ＣＡＤファイル要求用操作部とが表示される第２Ｗｅｂ頁のデータを、前記ネットを介して前記ネット端末に送信する第２Ｗｅｂ頁送信部と、前記ネットユーザが、前記ネット端末において前記ＣＡＤファイル要求用操作部を介して行ったＣＡＤファイル要求を受付ける要求受付部と、前記要求受付部がＣＡＤファイル要求を受付けたときは、前記ネット端末のＣＡＤで前記選択組立部品の仕様を、単品部品の選択によりデフォルト仕様から変更できるように、デフォルト仕様の組立部品と、前記デフォルト仕様の組立部品を構成する単品部品と、前記デフォルト仕様とは異なる仕様の組立部品を構成する単品部品とのデータを含む前記選択組立部品のＣＡＤファイルを、前記ネットを介して前記ネット端末に送信するＣＡＤファイル送信部とを備えることを特徴とする。
【００１３】
本発明によれば、組立部品製作業者の設計者は、設計しようとする組立部品についての設計留意点等の設計上役立つ知識を学びつつ、ダウンロードしたＣＡＤファイルを利用して、組立部品を設計することができる。これにより、組立部品の製作業者が組立部品を設計する作業を合理化することができる。
【００１４】
本発明の設計情報提供装置において、前記組立部品を構成する単品部品には、前記ネットユーザが内製する内製単品部品と、前記ＣＡＤファイルの提供者が販売する販売単品部品とがあり、前記ＣＡＤファイルには、第１パラメータの値で識別される第１種別の複数の内製単品部品のデータと、第２パラメータの値で識別される第２種別の複数の販売単品部品のデータと、前記第１パラメータの値と前記第２パラメータの値との組合わせであるパラメータ組合わせのデータとが含まれ、前記パラメータ組合わせの１つが、前記デフォルト仕様の組立部品に対応するように設定され、前記パラメータ組合わせの残りが、前記デフォルト仕様以外の仕様の組立部品に対応するように設定されていることが好ましい。
【００１５】
この構成によれば、ダウンロードしたＣＡＤファイルには、デフォルト仕様以外の仕様のパラメータ組合わせにおけるパラメータ値の内製単品部品及び販売単品部品のデータが予め含まれている。そのため、組立部品の製作業者は、パラメータ組合わせの変更により組立部品の仕様変更の作業を合理化することができる。
【００１６】
本発明の設計情報提供装置において、前記組立部品は、前記パラメータ組合わせの設定変更を相互の干渉なく行うことができる複数の組立部品部分に分割され、前記パラメータ組合わせは、組立部品部分ごとに設定されることが好ましい。
【００１７】
この構成によれば、組立部品は、パラメータ組合わせの設定変更を相互の干渉なく行うことができる複数の組立部品部分に分割される。そして、パラメータ組合わせが、組立部品部分ごとに設定される。これにより、組立部品におけるパラメータ組合わせを簡素化して、組立部品の設計者による仕様変更を能率化することができるとともに、ＣＡＤファイルの作成も簡単化できる。
【００１８】
本発明の設計情報提供装置において、前記ＣＡＤファイルには、各パラメータ値を有する各販売単品部品の部品図のデータと、各部品図の図名に、各パラメータ値を有する各販売単品部品に対して前記ＣＡＤファイルの提供者が付けた型番が含まれるようにした図名のデータとが含まれていることが好ましい。
【００１９】
この構成によれば、設計者は、ダウンロードしたＣＡＤファイル上で完成した組立部品について、該組立部品に含まれる販売単品部品の図名から型番を見付けて、型番により販売単品部品を注文することができる。これにより、注文の間違いや労力を低減することができる。
【図面の簡単な説明】
【００２０】
【図１】インターネットを介して相互に接続されている設計情報提供サーバ及びネット端末を示す図。
【図２】タグ列において「全て」のタグが選択された場合に表示される組立部品選択用Ｗｅｂ頁を示す図。
【図３】タグ列において「駆動」のタグが選択された場合に表示される組立部品選択用Ｗｅｂ頁を示す図。
【図４】図２の組立部品選択用Ｗｅｂ頁において選択された事例の専用Ｗｅｂ頁を示す図。
【図５】設計者が組立部品用のＣＡＤデータ要求ボタンをクリックした時に表示されるポップアップ画面を示す図。
【図６】ネット端末において設計情報提供サーバからダウンロードしたＣＡＤファイルを対応のＣＡＤで開いた時のＣＡＤ画面を示す図。
【図７】図６の図名リスト欄の範囲の拡大図。
【図８】製作業者が製作する最終組立品と該最終組立品を構成する組立部品との関係をツリー状に示した図。
【図９】組立部品部分について内製単品部品のパラメータ値と販売単品部品のパラメータ組合わせを示す図。
【図１０】別の組立部品部分について内製単品部品のパラメータ値と販売単品部品のパラメータ組合わせを示す図。
【図１１】設計者が図６のＣＡＤ画面においてコンフィギュレーションのアイコンをクリックするとＣＡＤ画面のリスト領域内に表示されるコンフィギュレーション情報を示す図。
【発明を実施するための形態】
【００２１】
［設計情報提供サーバの利用形態］
図１は、インターネット２を介する設計情報提供サーバ１及びネット端末３の接続関係を示している。インターネット２には、１つの設計情報提供サーバ１と、複数のネット端末３とが接続される。設計情報提供サーバ１は、単品部品の販売業者により運営され、組立部品の複数の製作業者のネット端末３に対し、単品部品が組み立てられて製作される組立部品の設計に役立つ情報を提供する。
【００２２】
設計情報提供サーバ１の単品部品販売業者と、ネット端末３の組立部品製作業者とは、１：複数の関係にあり、前者が販売する単品部品を後者が購入する関係になっている。図１に記載されている複数のネット端末３は、それぞれ異なる組立部品製作業者が所有するものとして示している。同一の組立部品製作業者が複数のネット端末３を所有することもできる。なお、設計情報提供サーバ１の単品部品販売業者は、ＣＡＤファイルの提供者でもある。
【００２３】
組立部品を構成する単品部品には、組立部品を製作する各製作業者が内製する内製単品部品と、設計情報提供サーバ１を運営する単品部品販売業者が販売する販売単品部品と、その他の単品部品販売業者が販売する販売単品部品とがある。
【００２４】
各組立部品製作業者は、内製単品部品と、設計情報提供サーバ１の単品部品販売業者から購入した販売単品部品と、その他の単品部品販売業者から購入した販売単品部品とを組み立てて、自家用又は販売用の組立部品を製作する。各組立部品製作業者は、ネット端末３のＣＡＤにより組立部品の図面を完成し、完成図に基づいて組立部品の製作及び単品部品の注文を行う。なお、ＣＡＤによる組立部品の図面の完成は、該組立部品の設計の完成を意味する。
【００２５】
各ネット端末３は、それが所属する組立部品製作業者の設計者４により操作される。ネット端末３は、アクセス先を設計情報提供サーバ１のみに限定することなく、アクセス先を任意のサーバにすることができる汎用的なものである。ネット端末３には、汎用ネット端末として、ＣＡＤやブラウザ以外のソフトもインストールされる。
【００２６】
設計情報提供サーバ１は、第１Ｗｅｂ頁送信部８、受信部９、第２Ｗｅｂ頁送信部１０、要求受付部１１及びＣＡＤファイル送信部１２を備える。第１Ｗｅｂ頁送信部８は、第１Ｗｅｂ頁としての組立部品選択用Ｗｅｂ頁２０ａ（図２及び図３）のデータを、インターネット２を介してネット端末３へ送信する。
【００２７】
受信部９は、ネットユーザとしての設計者４が、ネット端末３に表示された組立部品選択用Ｗｅｂ頁２０ａにおいて選択した選択組立部品がどれかを示す情報を、インターネット２を介して受信する。第２Ｗｅｂ頁送信部１０は、第２Ｗｅｂ頁としての選択事例Ｗｅｂ頁３０（図４）のデータを、インターネット２を介してネット端末３へ送信する。
【００２８】
要求受付部１１は、ネットユーザが、ネット端末３からのＣＡＤファイル要求を受付ける。
【００２９】
ＣＡＤファイル送信部１２は、要求受付部１１がＣＡＤファイル要求を受付けたときは、ネット端末３のＣＡＤで選択組立部品の仕様を、デフォルト仕様に対して単品部品の選択により変更できるように、デフォルト仕様の組立部品と、デフォルト仕様の組立部品を構成する単品部品と、デフォルト仕様以外の仕様の組立部品を構成する単品部品とのデータを含む選択組立部品のＣＡＤファイルを、インターネット２を介してネット端末３に送信する。
［ネット端末における表示］
図２及び図３は、ネット端末３が設計情報提供サーバ１から送られて来たＷｅｂ頁のデータに基づいてブラウザ画面として表示されるものを示している。図２及び図３において、タグ列２２においてそれぞれ「全て」及び「駆動」が選択された場合の組立部品選択用Ｗｅｂ頁２０ａ，２０ｂを示している。組立部品選択用Ｗｅｂ頁２０ａ，２０ｂは、設計者４がネット端末３においてブラウザを起動し、設計情報提供サーバ１にアクセスした時にブラウザ画面に表示される。
【００３０】
「ミスミ事例ライブラリー」は、組立部品選択用Ｗｅｂ頁２０ａ，２０ｂ及び図４の選択事例Ｗｅｂ頁３０等、設計情報提供サーバ１がネット端末３に提供する組立部品関連のＷｅｂ頁全体に対して付けた包括名称の一例である。「ミスミ」は、単品部品の販売業者でかつ設計情報提供サーバ１の運営者の社名の一例であり、この例では、組立部品関連のＷｅｂ頁全体に対して付けた包括名称の一部に含めている。
【００３１】
組立部品選択用Ｗｅｂ頁２０ａ，２０ｂは、検索ウィンドウ２１、タグ列２２、及び事例選択領域２３を含む。検索ウィンドウ２１は、組立部品選択用Ｗｅｂ頁２０ａ，２０ｂ内だけでなく、組立部品選択用Ｗｅｂ頁２０ａ，２０ｂが所属するサイトに所属する全部のＷｅｂ頁を検索範囲として検索する場合の検索語句を入力するように、設定されている。設計者４が検索ウィンドウ２１に検索語句を入力して、検索実行アイコンをクリックする。これに対し、設計情報提供サーバ１は、該検索語句をサイト全体から検索して、検索結果のＷｅｂ頁をネット端末３のブラウザに返す。検索語句が見つかった場合には、検索結果のＷｅｂ頁には、周知の検索エンジンにおける検索結果のＷｅｂ頁と同様に、検索語句を含むＷｅｂ頁から見出しや関連記載として抽出した記載事項がリストで表示される。
【００３２】
タグ列２２は、事例選択領域２３に組立部品を分類別に表示する場合に、設計者４がネット端末３のブラウザが面上で操作するタグである。タグ列２２には、「全て」、「搬送／移動」、「位置決め／クランプ」、「組立／加工」、・・・、「その他」のタグが存在する。
【００３３】
図２の組立部品選択用Ｗｅｂ頁２０ａでは、「全て」タグが選択され、「ミスミ事例ライブラリー」の全部の事例が表示される。なお、ここで「事例」と呼んでいるものは、組立部品の具体的な適用場所のことであり、１つの事例は、１つの組立部品に対応付けられる。各事例は、タグ列２２内の総合タグとしての「全て」に分類されるとともに、それ以外の１以上の個別分類のタグに割当てられる。
【００３４】
図３の組立部品選択用Ｗｅｂ頁２０ｂでは、「駆動」タグが選択され、「ミスミ事例ライブラリー」の内の「駆動」タグに分類された事例のみが表示される。設計者４が、タグ列２２の中から所望のタグを選択すると、選択されたタグに割り当てられた事例が事例選択領域２３に表示される。こうして、設計者４は、今回、情報を求めたい事例を能率的に探索することができる。
【００３５】
事例選択領域２３には、タグ列２２において選択されたタグに割り当てられた複数の事例が格子状に並べて、表示される。各事例の表示形態は３Ｄ表示図となっている。
【００３６】
図３の組立部品選択用Ｗｅｂ頁２０ｂでは、事例選択領域２３に表示する事例の個数が少ないので、１つのブラウザ画面に、「駆動」タグに割り当てられている事例の全部の３Ｄ表示図が表示される。これに対し、図２の組立部品選択用Ｗｅｂ頁２０ａでは、事例選択領域２３に表示する事例の個数が多いので、１つのブラウザ画面に、それら全部の事例の３Ｄ表示図を一度に表示することができない。
【００３７】
このため、図２では、組立部品選択用Ｗｅｂ頁２０ａの上端部分のみが表示されている。設計者４は、現在のブラウザ画面に表示されていない事例選択領域２３の部分を表示する場合には、ネット端末３の下向きスクロールキーをマウスのクリック等により、ブラウザ画面を組立部品選択用Ｗｅｂ頁２０ａの下方へスクロールさせる。
【００３８】
図４は、図２の組立部品選択用Ｗｅｂ頁２０ａにおいて、事例選択領域２３の左上隅の事例が選択された場合に、切替わり後のブラウザ画面として表示される選択事例Ｗｅｂ頁３０を示している。なお、該事例（事例Ｎｏ．０００１。（以下、「Ｎｏ．１事例」という。））の選択は、タグ列２２において「全て」タグが選択されている時の事例選択領域２３から選択する以外に、Ｎｏ．１事例が所属するタグ列２２内のタグが選択している時の事例選択領域２３から選択することもできる。
【００３９】
選択事例Ｗｅｂ頁３０には、例えば、タイトル欄３１、３Ｄ表示図欄３２、特徴欄３３、想定ワーク欄３４、設計ポイント欄３５、組立部品ＣＡＤデータ要求ボタン３６、部品位置確認ボタン３７、部品リスト要求ボタン３８、及び単品部品ＣＡＤデータ要求ボタン３９が表示される。さらに、単品部品名ボタン４４及びボタン４５が、３Ｄ表示図欄３２の対応部位に引き出し線で結合して、表示される。
【００４０】
タイトル欄３１には、本事例（Ｎｏ．１事例）のＮｏ．（番号）及び名称が表示される。事例は組立部品に対応するので、事例の名称は、本発明の組立部品の名称に相当する。
【００４１】
３Ｄ表示図欄３２には、本事例の３Ｄ表示図が表示される。特徴欄３３には、本事例の特徴（汎用的な組立部品に対する差別化した技術事項）が表示される。想定ワーク欄３４には、想定ワークの名称が表示される。想定ワークとは、本事例が一部となっている生産設備が取り扱うと想定されるワーク（製品）を意味する。例えば、Ｎｏ．０００１の本事例は、清掃のエアブロー工程を含む生産設備に組み込まれ、該生産設備は、清掃のエアブロー工程においてダイキャスト部品や樹脂成型品を取り扱う。したがって、本事例に係る想定ワークは、ダイキャスト部品や樹脂成型品となる。
【００４２】
設計ポイント欄３５には、事例を設計する際の設計留意点として設計ポイントが表示される。組立部品ＣＡＤデータ要求ボタン３６は、設計者４が、本事例をネット端末３のＣＡＤで編集する際のＣＡＤファイルをダウンロードする際にネット端末３のブラウザ画面上でクリックする。
【００４３】
部品位置確認ボタン３７が、ネット端末３のブラウザ画面上でクリックされると、３Ｄ表示図欄３２の３Ｄ表示図と同一の３Ｄ表示図を表示した小ウィンドウがポップアップされる。図４は、３Ｄ表示図欄３２と部品位置確認ボタン３７とがネット端末３の同一のブラウザ画面に同時に表示されている状態を示している。
【００４４】
しかしながら、選択事例Ｗｅｂ頁３０の文字数やイメージ数が多いと、選択事例Ｗｅｂ頁３０において、下端の組立部品ＣＡＤデータ要求ボタン３６や部品リスト要求ボタン３８が、上端の３Ｄ表示図欄３２からの距離が増大して、上端の３Ｄ表示図欄３２が隠れてしまう。
【００４５】
部品位置確認ボタン３７は、このような事態に対処し、設計者４が選択事例Ｗｅｂ頁３０を上端の方へスクロールバックして３Ｄ表示図欄３２の３Ｄ表示図を確認することなく、組立部品ＣＡＤデータ要求ボタン３６等の近辺位置でこれからダウンロードしようとするＣＡＤデータが何の事例に関連しているのかを設計者４に確認させるものである。部品位置確認ボタン３７がクリックされると、３Ｄ表示図欄３２の３Ｄ表示図と同一の３Ｄ表示図を表示した小ウィンドウがポップアップする。
【００４６】
部品リスト要求ボタン３８及び単品部品ＣＡＤデータ要求ボタン３９は、どちらも、本事例に使用されている単品部品の内、設計情報提供サーバ１の販売業者の販売対象となっている単品部品がダウンロード対象となる。部品リスト要求ボタン３８が設計者４によりクリックされると、該販売対象の単品部品のリストがＣＳＶ形式でダウンロードされる。単品部品ＣＡＤデータ要求ボタン３９が設計者４によりクリックされると、該販売対象の単品部品のＣＡＤデータがダウンロードされる。
【００４７】
１以上の単品部品名ボタン４４は、本事例において使用されている部品について、３Ｄ表示図欄３２の３Ｄ表示図上の配置部位からの引き出し線の端に配置され、該部品の名称を示す。単品部品名ボタン４４は、設計者４がクリックすると、小ウィンドウがポップアップし、該小ウィンドウに引出し先の単品部品の情報が表示されるようになっている。
【００４８】
ボタン４５は、単品部品とは関係なく、本事例の所定部位からの引き出し線の端に配置され、該所定部位について設計上のアイデアが存在することを示す。ボタン４５は、設計者４がクリックすると、小ウィンドウがポップアップし、該小ウィンドウに該所定部位について設計上のアイデア情報が表示される。
【００４９】
図５は、設計者４が組立部品ＣＡＤデータ要求ボタン３６をクリックした時に表示されるポップアップ画面４８を示している。ポップアップ画面４８内には、プルダウンボックス４９及び生成ボタン５０が表示される。設計者４は、プルダウンボックス４９では、ネット端末３で使用するＣＡＤの種別を選定するようになっている。組立部品ＣＡＤファイルは、ＣＡＤの種別ごとに用意されている。ポップアップ画面４８には、ネット端末３へダウンロードされる組立部品ＣＡＤファイルのファイル名が示される。
【００５０】
設計者４は、事例Ｎｏ．１の組立部品のＣＡＤデータ（ＣＡＤファイル）のダウンロードを設計情報提供サーバ１に対して要求する場合、組立部品ＣＡＤデータ要求ボタン３６をクリックし、次に、プルダウンボックス４９でＣＡＤの種別を選定し、次に、生成ボタン５０をクリックする。生成ボタン５０がクリックされると、選択した種別のＣＡＤで使用する組立部品ＣＡＤファイルが設計情報提供サーバ１からネット端末３へダウンロード開始される。
【００５１】
図６は、ネット端末３において、設計情報提供サーバ１から組立部品ＣＡＤデータとしての組立部品ＣＡＤファイルをダウンロードして、対応のＣＡＤ（ソフト）で開いた時のネット端末３のＣＡＤ画面６０の状態を示している。図７は、図６のリスト領域６１の範囲の拡大図である。
【００５２】
ＣＡＤ画面６０は、左側のリスト領域６１と右側の図面編集領域６２に区画される。リスト領域６１と図面編集領域６２との境界線は、その左右方向位置が調整可能になっている。アイコン列６５は、リスト領域６１の上辺の上側に配設され、アイコン６６，６７を含む。図６及び図７のリスト領域６１の表示状態は、リスト領域６１に図名リストを表示する左端のアイコン６６が選択されている時の状態を示している。コンフィギュレーションのアイコン６７については、後述の図９及び図１０の説明に関連して、後述の図１１で説明する。
【００５３】
リスト領域６１には、組立部品及びその単品部品の図名のリストが表示される。図面編集領域６２には、設計者４が選択した複数の単品部品により構成される組立部品の図が表示される。図面編集領域６２の組立部品の図において、リスト領域６１において選択されている単品部品の部位は、特定の色でハイライト表示される。図面編集領域６２に表示される図は、ＣＡＤの機能として、３Ｄ表示図や２Ｄ図面等、各種形式が指定できるようになっている。２Ｄ図面については、さらに、ＣＡＤの機能として正面図、平面図及び側面図等の種類が指定できるようになっている。
【００５４】
例えば、リスト領域６１において図名の一部に表示されている「Ｎｏ０００１＿ＰＡＲＴＳ＿ＣＧＬ−１０００＜１＞」において、「Ｎｏ０００１」は、事例Ｎｏ．１に関連したものであることを意味する。「ＰＡＲＴＳ」は、単品部品を意味する。「ＣＧＬ−１０００」は、単品部品の種別を意味する。「＜１＞」は「ＣＧＬ−１０００」に割り当てたパラメータの値を意味する。
［部品データの構成］
図８は、組立部品の製作業者が、製作する最終組立品を構成する部品間の組立関係（階層）を示している。最終組立品Ａは、複数の組立部品Ａ１〜Ａ６を組立てたものになっている。最終組立品Ａはアセンブリの階層に属し、組立部品Ａ１〜Ａ６はサブアセンブリの階層に属する。図４の事例としての組立部品は、サブアセンブリの階層に対応する。
【００５５】
組立部品Ａ１〜Ａ６の各々は、さらに、複数の組立部品部分から構成される。例えば、組立部品Ａ３は、組立部品部分９０ａ〜９０ｃの３つの組立部品部分から構成されている。組立部品Ａ３以外の組立部品については、組立部品部分の構成についての図示が省略されているが、各組立部品は、１以上の組立部品部分から構成されている。
【００５６】
同一の組立部品に所属する複数の組立部品部分同士は、後述のパラメータ組合わせの設定変更を相互の干渉なく行うことができるという関係をもつ。パラメータ組合わせの設定について、複数の組立部品部分同士が相互に干渉しないとは、同一の組立部品に所属する複数の組立部品部分の１つについて、パラメータ組合わせを変更しても、他の残りの組立部品部分について、パラメータ値の変更は不要で、変更を放置できるという関係である。各組立部品部分は、他の組立部品部分のパラメータ値を考慮することなく、パラメータ値を変更することができる。
【００５７】
なお、パラメータとは、例えば、単品部品の縦、横、半径等の寸法、角度、重量又は強度等を規定するものである。パラメータ値とは、例えば長さのパラメータについてのパラメータ値は、例えば１０ｍｍ、２０ｍｍ、３０ｍｍ、・・・である。
【００５８】
組立部品Ａ１〜Ａ６の各々を、パラメータ組合わせの設定を相互の干渉なく行うことができる複数の組立部品部分に分割することにより、組立部品全体のパラメータ組合わせの選択を効率化しつつ、組立部品の仕様変更を適切な個数で確保することができる。
【００５９】
組立部品部分９０ａは、内製単品部品Ｕ１及び販売単品部品Ｖ１が組み立てられて、製作される。組立部品部分９０ｂは、内製単品部品Ｕ１、販売単品部品Ｖ２ａ，Ｖ２ｂが組み立てられて、製作される。組立部品部分９０ｃは、他業者販売単品部品Ｗ３ａ〜Ｗ３ｃが組み立てられて、製作される。
【００６０】
内製単品部品Ｕ１，Ｕ２は、相互にパラメータの種類の異なる内製単品部品である。内製単品部品は、同一のパラメータを有していても、パラメータ値が異なれば、異なる内製単品部品となる。販売単品部品Ｖ１，Ｖ２ａ，Ｖ２ｂは、相互にパラメータの種類の異なる販売単品部品である。販売単品部品も、同一のパラメータを有していても、パラメータ値が異なれば、異なる販売単品部品となる。他業者販売単品部品Ｗ１〜Ｗ３は、相互にパラメータの種類の異なる他社販売単品部品である。他社販売単品部品も、同一のパラメータを有していても、パラメータ値が異なれば、異なる他社販売単品部品となる。
【００６１】
組立部品部分９０ａは、内製単品部品Ｕ１のパラメータ値と販売単品部品Ｖ１のパラメータ値との組合わせが異なると、仕様か異なる組立部品部分となる。組立部品部分９０ｂは、内製単品部品Ｕ２のパラメータ値と、販売単品部品Ｖ２ａのパラメータ値と、販売単品部品Ｖ２ｂのパラメータ値との組合わせが異なると、仕様が異なる組立部品部分となる。組立部品部分９０ｃは、他業者販売単品部品Ｗ３ａのパラメータ値と、他業者販売単品部品Ｗ３ｂのパラメータ値と、他業者販売単品部品Ｗ３ｃのパラメータ値との組合わせが異なると、仕様が異なる組立部品部分となる。
【００６２】
この結果、組立部品Ａ３の仕様の個数は、組立部品部分９０ａの組合わせ数×組立部品部分９０ｂの組合わせ数×組立部品部分９０ｃの組合わせ数となる。
【００６３】
図９は、組立部品部分９０ａを構成する内製単品部品Ｕ１及び販売単品部品Ｖ１についてパラメータ値の組合わせ例を示している。内製単品部品Ｕ１のパラメータＰ（Ｕ１）については、ｐ11〜ｐ14の４つの値が設定される。販売単品部品Ｖ１のパラメータＱ（Ｖ１）については、ｑ11〜ｑ14の４つの値が設定される。パラメータＰ（Ｕ１），Ｑ（Ｖ１）の組合わせは、Ｃ11〜Ｃ14の４つが設定される。具体的には、Ｃ11＝（ｐ11，ｑ11）、Ｃ12＝（ｐ12，ｑ12）、Ｃ13＝（ｐ13，ｑ13）、Ｃ14＝（ｐ14，ｑ14）の４つである。
【００６４】
組立部品部分９０ａについてデフォルト仕様のパラメータ組合わせとしてＣ11が設定されている。残りのＣ12〜Ｃ14はデフォルト仕様以外のパラメータ組合わせとなる。デフォルト仕様のパラメータ組合わせとは、設計情報提供サーバ１からダウンロードした組立部品ＣＡＤファイルを開いた時にＣＡＤ画面６０（図６）の図面編集領域６２に表示される組立部品に適用されているパラメータ組合わせである。
【００６５】
したがって、例えば、図８の組立部品Ａ３が、事例Ｎｏ．０００１の組立部品である場合に、設計者４が、組立部品Ａ３の組立部品ＣＡＤファイルをネット端末３にダウンロードして、ネット端末３のＣＡＤで開いて、図面編集領域６２に組立部品を表示したとする。このとき、最初に表示される組立部品における組立部品部分９０ａの対応範囲では、内製単品部品Ｕ１及び販売単品部品Ｖ１は、組合わせがＣ11で規定されているパラメータ値のものが図示される。
【００６６】
図１０は、組立部品部分９０ｂを構成する内製単品部品Ｕ２及び販売単品部品Ｖ２ａ，Ｖ２ｂについてパラメータ値の組合わせ例を示している。内製単品部品Ｕ２のパラメータＰ（Ｕ２）については、ｐ21〜ｐ25の５つの値が設定される。販売単品部品Ｖ２ａのパラメータＱ（Ｖ２ａ）については、ｑ2a1〜ｑ2a4の４つの値が設定される。販売単品部品Ｖ２ｂのパラメータＱ（Ｖ２ｂ）については、ｑ2b1〜ｑ2b4の４つの値が設定される。
【００６７】
パラメータＰ（Ｕ２），Ｑ（Ｖ２ａ），Ｑ（Ｖ２ｂ）の組合わせは、Ｃ21〜Ｃ25の５つが設定される。図１０の例では、Ｐ（Ｕ２）については、異なる組合わせに対して異なるパラメータ値ｐ21〜ｐ25が対応付けられている。これに対し、Ｑ（Ｖ２ａ），Ｑ（Ｖ２ｂ）については、異なる組合わせに対して同一の値が設定されることもある。例えば、Ｃ21及びＣ22では、Ｑ（Ｖ２ａ）は異なるｑ2a1，ｑ2a2ではあるものの、Ｑ（Ｖ２ｂ）は共にｑ2b1である。また、Ｃ23及びＣ24では、Ｑ（Ｖ２ｂ）は異なるｑ2b2，ｑ2b3ではあるものの、Ｑ（Ｖ２ａ）は共にｑ2a3である。
【００６８】
組立部品部分９０ｂについてデフォルト仕様のパラメータ組合わせとしてＣ21が設定されている。残りのＣ22〜Ｃ25はデフォルト仕様以外のパラメータ組合わせとなる。したがって、例えば、図８の組立部品Ａ３が、事例Ｎｏ．０００１の組立部品である場合に、設計者４が、組立部品Ａ３の組立部品ＣＡＤファイルをネット端末３にダウンロードして、ネット端末３のＣＡＤで開いて、図面編集領域６２に組立部品を表示したとする。このとき、最初に表示される組立部品における組立部品部分９０ｂの対応範囲では、内製単品部品Ｕ２及び販売単品部品Ｖ２ａ，Ｖ２ｂは、組合わせがＣ21で規定されているパラメータ値のものが図示される。
【００６９】
組立部品部分９０ｃについては、他業者販売単品部品Ｗ３ａ〜Ｗ３ｃに関するものであるので、パラメータ組合わせは１つだけ設定されている。したがって、ＣＡＤファイルに用意されている組立部品部分９０ｃの仕様は、デフォルトの仕様のみである。設計者４は、組立部品部分９０ｃの仕様を変更する場合は、パラメータ組合わせの変更ではなく、他業者販売単品部品Ｗ３ａ〜Ｗ３ｃを別仕様のものに自ら設計する必要がある。ただし、ネット端末３による他業者販売単品部品Ｗ３ａ〜Ｗ３ｃの仕様変更が、組立部品部分９０ａ，９０ｂの仕様に影響を与えることはない。
【００７０】
図示の例では、組立部品部分９０ａのパラメータ組合わせ数は４とされ、組立部品部分９０ｂのパラメータ組合わせ数は５とされている。組合わせ数を制限したのは、単品部品販売業者は、組立部品製作業者が本当に必要とする組立部品部分９０ａ，９０ｂの具体的な仕様を把握できないので、単品部品販売業者の判断でパラメータ組合わせ数を増やしても、無駄になる可能性が大きいからである。単品部品販売業者が個数を制限して選定したパラメータ組合わせは、例えば、市場での使用頻度が高いと考えられる組立部品部分の仕様や、単品部品販売業者が特別推奨したい組立部品部分の仕様に対応するパラメータ組合わせに制限される。
【００７１】
設計情報提供サーバ１からネット端末３へダウンロードされる組立部品ＣＡＤファイルには、各組立部品部分に対して設定したパラメータ組合わせのパラメータ値に対応する単品部品のＣＡＤデータが含まれているとともに、パラメータ組合わせのうちどれがデフォルト仕様のパラメータ組合わせを示すデータも含まれている。
［設計者による設計操作］
設計者４は、設計情報提供サーバ１からダウンロードした組立部品ＣＡＤファイルをネット端末３のＣＡＤで開き、図面編集領域６２（図６）に表示する。図面編集領域６２に最初に表示される組立部品の図面は、デフォルト仕様のパラメータ値の組合わせに対応するものとなっている。設計者４は、自社の仕様に合わないと判断した場合は、図９及び図１０で説明したパラメータ組合わせを切替えることにより簡単に仕様を変更することができる。
【００７２】
設計者４がＣＡＤにおいて行うパラメータ組合わせの具体的な切替作業について、図１１を参照して説明する。図１１は、設計者４が図６のＣＡＤ画面においてコンフィギュレーションのアイコン６７をクリックした時に表示されるコンフィギュレーション情報を示している。
【００７３】
図１１のコンフィギュレーション情報では、組立部品部分９０ａ〜９０ｃの各々に設定された組合わせが一次元リストでリスト領域６１に表示される。該一次元リスト表示では、図９の組合わせＣ11〜Ｃ14、図１０の組合わせＣ21〜Ｃ25、及び組立部品部分９０ｃの組合わせＣ31は、それらの名称の前に、各組合わせが所属する組立部品部分９０ａ，９０ｂ，９０ｃの名称と、“−”とを付けられて、表示されている。なお、図１１の例では、Ｃ11〜Ｃ14，Ｃ21〜Ｃ25，Ｃ31を、組合わせＣ11〜Ｃ14，Ｃ21〜Ｃ25，Ｃ31の名称としても使用している。ネット端末３のＣＡＤにおいて、図１１のコンフィギュレーション情報が表示されるように、単品部品の販売業者は、自分の設計情報提供サーバ１からダウンロードする組立部品ＣＡＤファイルの内容を予め設定しておく。
【００７４】
設計者４は、コンフィギュレーション情報の組立部品部分９０ａ〜９０ｃの各々において、所望の組合わせを選択する。なお、デフォルトでは、組合わせＣ11及びＣ21が選択されている。現在選択されている組合わせについてはハイライト表示される。設計者４は、組合わせの選択終了後、アイコン６６をクリックして、リスト領域６１の表示を部品図名の表示に戻す。戻し後のリスト領域６１の部品図名は、コンフィギュレーション情報において選択した組合わせに対応するものに変更されている。
【００７５】
ＣＡＤのリスト領域６１（図７）の単品部品の図名には、該単品部品に対して単品部品販売業者が付けた型番（型番によりパラメータ値も識別できる。）が含まれている。したがって、設計者４は、組立部品に使った単品部品販売業者の単品部品の型番を知ることができる。
【００７６】
設計者４が所望する仕様の組立部品の図面が完成すると、ＣＡＤは、該完成図に含まれる部品の図名を表示又はプリント出力する機能を装備する。したがって、設計者４は、表示又はプリント出力された図名から型番を把握し、該型番で、単品部品販売業者に販売単品部品を能率的に注文することができる。
【００７７】
本発明の実施形態について説明したが、本発明は、該実施形態に制限されることなく、要旨の範囲内で種々に変形して、実施可能である。
【００７８】
設計情報提供サーバ１は、設計情報提供装置の一例である。Ｐ（Ｕ１），Ｐ（Ｕ２）は、第１種別の内製単品部品の第１パラメータの例である。Ｐ（Ｕ１），Ｐ（Ｕ２）は、また、それぞれ組立部品部分９０ａ，９０ｂにおける第１種別の内製単品部品の第１パラメータの例である。Ｑ（Ｖ１），Ｑ（Ｖ２ａ），Ｑ（Ｖ２ｂ）は、第２種別の販売単品部品の第２パラメータの例である。Ｑ（Ｖ１）は、組立部品部分９０ａにおける第２種別の販売単品部品の第２パラメータの例である。Ｑ（Ｖ２ａ），Ｑ（Ｖ２ｂ）は、組立部品部分９０ｂにおける第２種別の販売単品部品の第２パラメータの例である。
【００７９】
インターネット２はネットの例である。本発明のネットは、イントラネットであってもよい。組立部品ＣＡＤデータ要求ボタン３６はＣＡＤファイル要求用操作部の一例である。
【符号の説明】
【００８０】
１・・・設計情報提供サーバ（設計情報提供装置）、２・・・インターネット（ネット）、３・・・ネット端末、４・・・設計者、８・・・第１Ｗｅｂ頁送信部、９・・・受信部、１０・・・第２Ｗｅｂ頁送信部、１１・・・要求受付部、１２・・・ＣＡＤファイル送信部、２０・・・組立部品選択用Ｗｅｂ頁、２１・・・検索ウィンドウ、２２・・・タグ列、２３・・・事例選択領域、３０・・・選択事例Ｗｅｂ頁、３１・・・タイトル欄、３２・・・３Ｄ表示図欄、３３・・・特徴欄、３４・・・想定ワーク欄、３５・・・設計ポイント欄、３６・・・組立部品ＣＡＤデータ要求ボタン（ＣＡＤファイル要求用操作部）。
【要約】
【課題】組立部品の設計作業を合理化させる設計情報提供装置を提供する。
【解決手段】設計情報提供サーバ１は、複数の組立部品が表示されるＷｅｂ頁のデータをネット端末３に送信する第１Ｗｅｂ頁送信部８と、ネット端末３における選択組立部品の設計留意点等の情報を送信する第２Ｗｅｂ頁送信部１０と、ネット端末３からＣＡＤファイル要求に対して、選択単品部品についてデフォルトの組立部品及び単品部品、並びにデフォルトでない単品部品のデータを含むＣＡＤファイルをネット端末３に送信するＣＡＤファイル送信部１２とを備える。
【選択図】図１【図１】
0005591991.tif 000002
【図２】
0005591991.tif 000003
【図３】
0005591991.tif 000004
【図４】
0005591991.tif 000005
【図５】
0005591991.tif 000006
【図６】
0005591991.tif 000007
【図７】
0005591991.tif 000008
【図８】
0005591991.tif 000009
【図９】
0005591991.tif 000010
【図１０】
0005591991.tif 000011
【図１１】
0005591991.tif 000012